(57)【要約】【課題】伝送路上に設けられる増幅装置において、伝送帯域内に発生するノイズ及びスプリアスをチェックできる地上デジタル放送再送信装置を提供する。【解決手段】再送信増幅部１３ａ〜１３ｎは、受信信号から所望チャンネルの地上デジタル放送波を選択し、ＩＦ信号に変換して増幅した後、周波数変換器３１で高周波信号に戻して出力する。伝送路の状態をチェックする際、単一キャリア発生装置３９で発生した単一キャリア信号を周波数変換器３１に入力する。単一キャリア信号は、周波数変換器３１により高周波信号に変換されて合成器１４へ出力される。合成器１４は、再送信増幅部１３ａ〜１３ｎから出力される各チャンネルの単一キャリア信号を合成し、出力端子１５から伝送路６へ出力する。従って、伝送路６上の増幅装置に測定器を接続すると、伝送信号中に含まれるノイズやスプリアスを単一キャリア信号と共にチェックすることができる。【選択図】    図１
2006020053.tif 000002
【特許請求の範囲】
【請求項１】
地上デジタル放送波を各チャンネル別に受信し、ＩＦ信号に変換して増幅した後、該ＩＦ信号を高周波信号に変換して伝送路に出力する複数の再送信増幅部を備えた地上デジタル放送再送信装置において、
前記各再送信増幅部に単一キャリア信号を信号伝送系統に重畳させる手段を設けたことを特徴とする地上デジタル放送再送信装置。
【請求項２】
地上デジタル放送波を各チャンネル別に受信し、ＩＦ信号に変換して増幅した後、該ＩＦ信号を高周波信号に変換して伝送路に再送信する複数の再送信増幅部からなる地上デジタル放送再送信装置、及び前記伝送路上に設けられ、該伝送路により伝送される信号を増幅する増幅装置からなるＣＡＴＶシステムにおいて、
前記伝送路により伝送される信号の状態をチェックする際、前記地上デジタル放送再送信装置の各再送信増幅部に単一キャリア信号を信号伝送系統に重畳させて、前記地上デジタル放送再送信装置から前記単一キャリア信号を伝送路のチェック用信号として伝送路に出力し、ＣＡＴＶシステムのチェックをすることを特徴とするＣＡＴＶシステムのチェック方法。
【発明の詳細な説明】
【技術分野】
【０００１】
本発明は、地上デジタルテレビジョン放送を受信し、増幅及び周波数変換等の処理を行なってＣＡＴＶシステムにより共同受信設備等に再送信する地上デジタル放送再送信装置及びＣＡＴＶシステムの信号伝送状態をチェックするチェック方法に関する。
【背景技術】
【０００２】
地上デジタルテレビジョン放送（ＩＳＤＢ−Ｔ：Terrestrial Integrated Services Digital Broadcasting）は、２００３年から関東、近畿及び中京広域圏で既に放送が開始され、また、２００６年までにその他の地域で放送開始が予定されている。そして、現在、行なわれているアナログテレビ放送は２０１１年に終了し、地上デジタルテレビ放送への移行が完了する予定となっている。
【０００３】
地上デジタルテレビジョン放送を受信し、増幅、周波数変換等の処理を行なってＣＡＴＶシステムにより共同受信設備等に再送信する地上デジタル放送再送信装置では、地上デジタルテレビジョン放送を各チャンネル毎に１波ずつ受信し、帯域外の信号を抑圧すると共に受信信号を所定のレベルを合わせた後、伝送路に出力している（例えば、特許文献１参照。）。
【０００４】
従来の地上デジタル放送再送信装置は、例えば図３に示すように構成されている。すなわち、４７０ＭＨｚ〜７７０ＭＨｚのＵＨＦ帯の地上デジタルテレビジョン放送をアンテナ１で受信し、分岐器２により分岐して複数の再送信増幅部３ａ〜３ｎに入力する。上記アンテナ１で受信された信号は、電波伝播状態の関係で、図４（ａ）に示すように各チャンネルで信号レベルがそれぞれ異なった値となっている。このような受信信号を伝送路に送り出すためには、再送信増幅部３ａ〜３ｎにおいて、図４（ｂ）に示すように各チャンネルの信号レベルを合わせ、また、他の伝送信号に影響を与えないように帯域外の信号を抑圧する必要がある。
【０００５】
このため再送信増幅部３ａ〜３ｎは、分岐器２で分岐された信号から所望チャンネルの放送信号をバンドパスフィルタにより選択し、中間周波信号（ＩＦ信号）に変換すると共に増幅して信号レベルを揃えた後、元の高周波信号あるいは他の高周波信号に変換している。そして、上記再送信増幅部３ａ〜３ｎの出力信号は、合成器４で合成された後、出力端子５から伝送路６を介してシステム加入者宅へ伝送される。この場合、伝送路６により伝送される信号は、その伝送途中において伝送損失等により減衰を受けるため、伝送路６に所定の間隔で増幅装置７を設けて信号の増幅及び周波数特性の補正を行なっている。
【特許文献１】特開２００３−３０９７３９号公報
【発明の開示】
【発明が解決しようとする課題】
【０００６】
上記のように地上デジタル放送再送信装置を設置してＣＡＴＶシステムを新しく構築した場合、伝送路６の信号伝送状態や増幅装置７の特性等をチェックする必要がある。  
上記伝送路６の信号伝送状態や増幅装置７の特性等をチェックする場合に、地上波デジタルテレビジョン放送を実際に受信し、その受信状態をチェックすることが考えられる。
【０００７】
しかし、地上波デジタルテレビジョン放送は、ＯＦＤＭ（Orthogonal Frequency Division Multiplex）による伝送方式が用いられている。このＯＦＤＭはマルチキャリア方式と呼ばれ、伝送帯域内に数千本の搬送波を立てて、それぞれの搬送波にデータを割り付けて放送を行なう伝送方式である。上記ＯＦＤＭは、その性質上、自チャンネルに割り当てられた６ＭＨｚの帯域を殆ど使用するものであり、自帯域に影響を与えるノイズ成分及びスプリアスは受信信号に埋もれてしまい、増幅装置７に測定器を接続しても測定することができない。
【０００８】
しかし、伝送路６における正常な伝送が可能かどうかの判別の多くは、伝送帯域のＣＮ比（Carrier to Noise ratio）及びスプリアスに依存する。また、測定時において、通常は伝送帯域の信号を一度止め、帯域内の状況を判断するが、信号を止めることにより、伝送路６の歪み等による影響が変化してしまうという問題がある。
【０００９】
本発明は上記の課題を解決するためになされたもので、伝送路に設けられる増幅装置において、伝送信号中に含まれるノイズ及びスプリアスをチェックすることができ、伝送帯域内の状況を確実に判断することができる地上デジタル放送再送信装置及びＣＡＴＶシステムのチェック方法を提供することを目的とする。
【課題を解決するための手段】
【００１０】
第１の発明は、地上デジタル放送波を各チャンネル別に受信し、ＩＦ信号に変換して増幅した後、該ＩＦ信号を高周波信号に変換して伝送路に出力する複数の再送信増幅部を備えた地上デジタル放送再送信装置において、前記各再送信増幅部に単一キャリア信号を信号伝送系統に重畳させる手段を設けたことを特徴とする。
【００１１】
第２の発明は、地上デジタル放送波を各チャンネル別に受信し、ＩＦ信号に変換して増幅した後、該ＩＦ信号を高周波信号に変換して伝送路に再送信する複数の再送信増幅部からなる地上デジタル放送再送信装置、及び前記伝送路上に設けられ、該伝送路により伝送される信号を増幅する増幅装置からなるＣＡＴＶシステムにおいて、
前記伝送路により伝送される信号の状態をチェックする際、前記地上デジタル放送再送信装置の各再送信増幅部に単一キャリア信号を信号伝送系統に重畳させて、前記地上デジタル放送再送信装置から前記単一キャリア信号を伝送路のチェック用信号として伝送路に出力し、ＣＡＴＶシステムのチェックをすることを特徴とする。
【発明の効果】
【００１２】
本発明によれば、地上デジタル放送再送信装置の各再送信増幅部に単一キャリア発生装置を内蔵させることにより、伝送路上の各増幅装置において、信号伝送状態、例えばノイズやスプリアスの発生状態を容易にチェックすることができる。
【発明を実施するための最良の形態】
【００１３】
以下、図面を参照して本発明の一実施形態を説明する。  
図１は、本発明の一実施形態に係る地上デジタル放送再送信装置の構成を示すブロック図である。図１において、１１はＵＨＦ用受信アンテナで、４７０ＭＨｚ〜７７０ＭＨｚのＵＨＦ帯の地上デジタルテレビジョン放送を受信する。上記アンテナ１１で受信された信号は、分岐器１２で分岐されて複数の再送信増幅部１３ａ〜１３ｎに入力される。これらの再送信増幅部１３ａ〜１３ｎは、同様の構成であるので、再送信増幅部１３ａについて詳細な構成を説明する。
【００１４】
再送信増幅部１３ａは、分岐器１２で分岐された信号から所望チャンネルの地上デジタル放送波をバンドパスフィルタ（ＢＰＦ）２１で選択する。このバンドパスフィルタ２１で選択された所望チャンネルの信号は、入力増幅器２２で増幅された後、信号レベル調整器例えばアッテネータ（ＡＴＴ）２３を介して周波数変換器２４に入力される。また、この周波数変換器２４には、局部発振器２５から局部発振信号が入力される。今例えば所望チャンネルの周波数をｆ１、ＩＦ信号（中間周波信号）を５７ＭＨｚとすると、局部発振器２５は「ｆ１＋５７ＭＨｚ」の局部発振信号を発生する。
【００１５】
周波数変換器２４は、入力増幅器２２からアッテネータ２３を介して入力される所望チャンネルの放送波の周波数ｆ１と局部発振器２５から入力される局部発振信号とを混合し、その差の周波数５７ＭＨｚの信号をＩＦ信号として出力する。上記周波数変換器２４から出力される５７ＭＨｚのＩＦ信号は、バンドパスフィルタ（ＢＰＦ）２６で選択され、増幅器２７で増幅された後、周波数変換器３１に入力される。
【００１６】
また、上記増幅器２７の出力信号は、ＡＧＣ回路２８の検波器２９に入力される。この検波器２９は、増幅器２７の出力信号を検波して直流信号に変換し、レベル調整回路３０に入力する。このレベル調整回路３０は、検波器２９の検波出力に応じてアッテネータ２３の減衰量を調整し、増幅器２７から出力される信号のレベルが常に一定となるようにする。
【００１７】
また、上記周波数変換器３１には、局部発振器３２から局部発振信号が入力される。この局部発振信号の周波数は、各再送信増幅部１３ａ〜１３ｎによって異なる周波数に設定される。上記周波数変換器３１は、増幅器２７で増幅されたＩＦ信号と局部発振器３２から入力される局部発振信号とを混合し、元のチャンネルの高周波信号あるいは他のチャンネルの高周波信号に変換する。この周波数変換器３１で変換された高周波信号は、出力増幅器３３で増幅された後、バンドパスフィルタ３４で選択され、再送信増幅部１３ａの出力信号として取り出される。
【００１８】
そして、上記増幅器２７と周波数変換器３１との間の信号線路には方向性結合器３５が設けられ、この方向性結合器３５にコネクタ３６が接続される。このコネクタ３６は、方向性結合器３５に対し、内部接続端子３７と外部接続端子３８とを切換え接続できるように設けられる。上記内部接続端子３７には、単一キャリア発生装置３９が接続される。この単一キャリア発生装置３９は、ＩＦ信号と同じ周波数の５７ＭＨｚの単一キャリア信号を発生する。このこの単一キャリア発生装置３９から出力される単一キャリア信号の周波数は、再送信増幅部１３ａ〜１３ｎにおいて同じ値に設定される。
【００１９】
上記単一キャリア発生装置３９には、電源電圧Ｅがスイッチ４０を介して供給される。すなわち、このスイッチ４０によって単一キャリア発生装置３９の動作をオン／オフできるようになっている。このスイッチ４０は、通常時はオフ状態に保持し、伝送路の信号伝送状態や伝送路に設けられている増幅装置の特性等をチェックする際にオン状態に切換える。また、上記外部接続端子３８には、必要に応じてＯＦＤＭ擬似信号発生装置（図示せず）が接続される。
【００２０】
そして、上記各再送信増幅部１３ａ〜１３ｎの出力信号は、合成器１４により合成されて出力端子１５より例えば同軸ケーブルや光ケーブル等の伝送路６に出力される。この伝送路６に出力された信号は、図３に示したように伝送路６に所定の間隔で設けられた増幅装置７により増幅されながらＣＡＴＶシステムの加入者宅へ伝送される。
【００２１】
上記の構成において、アンテナ１１で受信された地上デジタルテレビジョン放送波は、分岐器１２で分岐されて複数の再送信増幅部１３ａ〜１３ｎに入力される。各再送信増幅部１３ａ〜１３ｎは、分岐器１２で分岐された信号からそれぞれ所望チャンネルの放送波をバンドパスフィルタ２１で選択し、周波数変換器２４で中間周波信号に変換してＡＧＣ回路２８により信号レベルを一定値に揃え、その後、周波数変換器３１で元のチャンネルあるいは他のチャンネルの高周波信号に変換して出力する。また、各再送信増幅部１３ａ〜１３ｎは、選択した各チャンネルの信号に対し、バンドパスフィルタ２１、２６、３４等により帯域外の信号を抑圧する。すなわち、各再送信増幅部１３ａ〜１３ｎは、それぞれ所望チャンネルの信号について、図２（ａ）に示すように信号レベルを一定値に揃えると共に帯域外の信号を抑圧し、合成器１４で合成して出力端子１５から伝送路６に出力する。
【００２２】
そして、地上デジタル放送再送信装置を設置してＣＡＴＶシステムを新しく構築した場合など、伝送路６の信号伝送状態や増幅装置７の特性等をチェックする場合には、分岐器１２へのアンテナ入力を遮断し、各再送信増幅部１３ａ〜１３ｎにおけるスイッチ４０をオン状態に切換えて単一キャリア発生装置３９を動作させる。また、このときコネクタ３６は、内部接続端子３７側に接続する。
【００２３】
上記単一キャリア発生装置３９は、スイッチ４０がオン状態に切換えられて電源電圧Ｅが供給されることによって動作し、５７ＭＨｚの単一キャリア信号を発生する。この単一キャリア発生装置３９から出力される単一キャリア信号は、方向性結合器３５を介して周波数変換器３１に入力される。この周波数変換器３１は上記単一キャリア信号と局部発振器３２から出力される局部発振信号とを混合して高周波信号に変換する。この高周波信号に変換された単一キャリア信号は、出力増幅器３３で増幅された後、バンドパスフィルタ３４で選択されて合成器１４へ出力される。
【００２４】
合成器１４は、再送信増幅部１３ａ〜１３ｎからそれぞれ出力される各チャンネル別の単一キャリア信号を合成し、出力端子１５から伝送路６へ出力する。従って、図３に示したように伝送路６に所定の間隔で設けられる増幅装置７に測定器を接続して伝送信号を測定すると、図２（ｂ）に示すように各チャンネル毎に単一キャリア信号ＣＡａ、ＣＡｂ、…、ＣＡｎをチェックすることができる。このとき各チャンネルの伝送信号中にノイズ４１やスプリアス４２が含まれていれば、これらのノイズ４１やスプリアス４２を単一キャリア信号ＣＡａ、ＣＡｂ、…、ＣＡｎと共にチェックすることができる。すなわち、ノイズ４１やスプリアス４２を含む信号レベルの低い領域４３部分を容易にチェックすることが可能になる。
【００２５】
上記のように再送信増幅部１３ａ〜１３ｎにおいて、テレビジョン放送局から送信されるＯＦＤＭ信号の代わりに単一キャリア信号を挿入して伝送することにより、各チャンネルの帯域内の信号レベルの低い領域のノイズ４１やスプリアス４２を確実にチェックすることができる。
【００２６】
また、単一キャリア信号を利用することにより、伝送信号を止めることなく伝送路の状態をチェックできるので、信号を止めることにより生ずる伝送路の歪み等による影響が変化する恐れもなく、ＯＦＤＭ信号を伝送しているのと同じ状態を維持しつつ、帯域内の状況をチェックすることができる。
【００２７】
上記のチェック結果に基づいて伝送路６の異常の有無を判定すると共に各増幅装置７の周波数特性等を調整する。伝送路６の異常が検出された場合には、その異常個所の修理等を行なう。
【００２８】
また、上記のチェックにおいて、各再送信増幅部１３ａ〜１３ｎのコネクタ３６を外部接続端子３８側に接続すると共に、この外部接続端子３８にＯＦＤＭ擬似信号発生装置を接続し、上記単一キャリア信号の代わりにＯＦＤＭ擬似信号を入力すると、伝送路６上の各増幅装置７において、ＯＦＤＭ信号の伝送状態をチェックすることができる。従って、例えば地上デジタルテレビジョン放送が未だ開始されていない地域、あるいは特定チャンネルの地上デジタルテレビジョン放送だけが開始され、他のチャンネルの放送が未だ開始されていない地域に地上デジタル放送再送信装置を設置した場合においても、外部接続端子３８にＯＦＤＭ擬似信号を入力することによって、放送開始に先だってＯＦＤＭ信号の伝送状態や増幅装置７の信号増幅状態等をチェックすることが可能になる。
【００２９】
上記実施形態で示したように、地上デジタル放送再送信装置の各再送信増幅部１３ａ〜１３ｎに単一キャリア発生装置３９を内蔵させることにより、伝送路６上の各増幅装置７において、各チャンネル毎の信号伝送状態、例えばノイズ４１やスプリアス４２の発生状態を容易にチェックすることができる。
【００３０】
また、各再送信増幅部１３ａ〜１３ｎの外部接続端子３８にＯＦＤＭ擬似信号を入力することにより、地上デジタルテレビジョン放送が未だ開始されていない地域、あるいは特定チャンネルの地上デジタルテレビジョン放送だけが開始され、他のチャンネルの放送が未だ開始されていない地域に地上デジタル放送再送信装置を設置した場合においても、放送が開始されていないチャンネルにおけるＯＦＤＭ信号の伝送状態や増幅装置７の信号増幅状態等をチェックすることができる。
【００３１】
なお、上記実施形態では、各再送信増幅部１３ａ〜１３ｎに単一キャリア発生装置３９を内蔵した場合について示したが、その他、例えばチェックに際して外部接続端子３８に単一キャリア発生装置を接続して単一キャリア信号を外部入力するようにしても良い。更に、詳細に伝送路をチェックするために単一キャリア信号源は周波数が固定のものに限らず、チャンネル帯域内を可変、あるいは自動スキャンするような信号源を用いることもできる。
【００３２】
また、本発明は、上記実施形態そのままに限定されるものではなく、実施段階ではその要旨を逸脱しない範囲で構成要素を変形して具体化できるものである。
【図面の簡単な説明】
【００３３】
【図１】本発明の一実施形態に係る地上デジタル放送再送信装置の構成を示すブロック図である。
【図２】（ａ）は同実施形態における各再送信増幅部の信号出力特性を示す図、（ｂ）は伝送路上の増幅装置におけるチェック信号例を示す図である。
【図３】従来の地上デジタル放送再送信装置の概略構成を示す図である。
【図４】（ａ）は地上デジタル放送再送信装置における各チャンネルの受信信号例を示す図、（ｂ）は同出力信号例を示す図である。
【符号の説明】
【００３４】
１１…アンテナ、１２…分岐器、１３ａ〜１３ｎ…再送信増幅部、１４…合成器、１５…出力端子、２１…バンドパスフィルタ（ＢＰＦ）、２１…バンドパスフィルタ（ＢＰＦ）、２２…入力増幅器、２３…アッテネータ（ＡＴＴ）、２４…周波数変換器、２５…局部発振器、２６…バンドパスフィルタ（ＢＰＦ）、２７…増幅器、２８…ＡＧＣ回路、２９…検波器、３０…レベル調整回路、３１…周波数変換器、３２…局部発振器、３３…出力増幅器、３４…バンドパスフィルタ（ＢＰＦ）、３５…方向性結合器、３６…コネクタ、３７…内部接続端子、３８…外部接続端子、３９…単一キャリア発生装置、４０…スイッチ、４１…ノイズ、４２…スプリアス、４３…領域。
【図１】
2006020053.tif 000003
【図２】
2006020053.tif 000004
【図３】
2006020053.tif 000005
【図４】
2006020053.tif 000006